(57)【要約】【課題】  携帯用のステープラは、針の収納量が少なく、紙綴り作業が多い職場ではすぐに消費されてしまい装填の手間と煩わしさがあり、それを軽減するために針の収納量を多くすることと、予備針を多く収納できるような予備針収納ケースを設ける。【解決手段】  並列のマガジン２を有したステープラ１で針の収納を２倍とし、紙綴り作業における針をマガジンに装填する手間や煩わしさを軽減し、１回の針の装填で、より多くの紙綴り作業ができるようにするもので、並列のマガジン２の左右いずれかの針を押すためにハンドル３に移動可能なドライバ６を設け、押し釦７を押して紙を綴るようにすると共に、広くなったベース８の底面に多量の予備針を収納できる予備針収納ケース９を装備した。【選択図】          図１
2007160487.tif 000002
【特許請求の範囲】
【請求項１】
複数の針を装填したマガジンと、針を曲げる針曲台の間で紙を綴じるために上部のハンドルに設けたドライバをハンドルで押して紙を綴るステープラにおいて、針の収納を多くするために、マガジンを並列としたステープラとし、並列のマガジン内の針を押すために、ドライバが左右に移動できるようにハンドルの先端近くに横に溝を有し、そこに押し釦を固定したドライバを挿入し押し釦を動かすことによりドライバが移動して紙綴りをする側の針を押して紙綴りができるようにすることを特徴とする並列のマガジンを有するステープラ。
【請求項２】
請求項１のステープラのベースの底面に並列に予備針を収納できる予備針収納ケースを設置し針取り出し用の蓋を設ける。この蓋は、1連（５０本）の針の長さ、或いは、僅かに短くしたものとし蓋を開けるだけで必要量の針が取り出せるようにした予備針収納ケースを装備したステープラ。
【発明の詳細な説明】
【技術分野】
【０００１】
本発明は、複数枚の紙を綴るのに使用する携帯用のステープラに関するもので、ステープラ内に並列のマガジンを有すると共にベース底面に多くの予備針を収納できる予備針収納ケースを装備した並列のマガジンを有するステープラに関するものである。
【背景技術】
【０００２】
一般に使用されているステープラは、複数の針を装填したマガジンとドライバを装着したハンドルと針をドライバで押して複数枚の紙を貫通し、針曲台で針を曲げ紙を綴るようになされている。
【０００３】
上記ステープラは、綴り作業が多い職場では、ステープラのマガジン内に収納されている５０本ないし１００本の針ではすぐに消費されてしまい、使用者は針を装填するのに手間がかかり煩わしかった。
【０００４】
又、予備の針はできるだけ近くに置くか身に付けておく必要がある。そのため針の予備を身近かに持つ方法として、ステープラのハンドルの内部やベース内に呼びの針を収納するようになされたものである。
【特許文献１】特開２００４−１４２０７４号公報
【特許文献２】特開２００５−１１１６３０号公報
【特許文献３】特開２００５−１８６２０３号公報
【発明の開示】
【発明が解決しようとする課題】
【０００５】
従来、携帯用のステープラは、使用しやすいようにいろいろな工夫、改良がなされている。しかし、綴り作業が多い職場では、マガジン内に装填されている１００本の針はすぐに消費されてしまい再度装填しなければならなかった。
できるだけ多くの針をマガジン内に装填できることが望まれる。
【０００６】
又、針を装填す回数が多い時は手元に多くの予備針を置くか、ポケット等身に付けておく必要があった。
本発明はこれらの問題を解決するためになされたものである。
【課題を解決するための手段】
【０００７】
上記課題を解決するために、ステープラのマガジンを図１、図３に示すように並列にすることにより、従来のステープラより2倍の針を装填することができるようになる。そのため装填するための手間が減り煩わしさも半減する。又、マガジンを並列にすることによりステープラのベースの幅が広くなり、そのベースに取り付ける予備針ケースの幅も広くできるので、並列に予備針を収納することができる。
【０００８】
本発明の請求項１のステープラは、従来1列のマガジンで構成されていたのが、マガジンを並列とし針の装填量を多くした、紙綴りをする際は、並列のマガジンの左右のどちらかを先に使用することになり、針を押し出すドライバは、ハンドルに切り込まれたドライバ移動用のみぞにより針を押し出す側に移動させてドライバで押し出すようにする。使用している側の針が消費されてしまえば、針が有る側にドライバを移動して作業を続けることができる。以上を特徴とする並列のマガジンを有するステープラである。
【発明の効果】
【０００９】
本発明のステープラのマガジンは、並列になっているため、従来のステープラより針の装填量が２倍になり、針を装填するときの手間が減少し煩わしさも半減することにより紙綴じ作業の能率が向上する。
【００１０】
ステープラのベースの下面が広く使えるようになり図４に示すように多量の予備針を収納できるようになると共に、蓋を針の１連（５０本）の長さにすることにより針を取り出しやすくなる。
【発明を実施するための最良の形態】
【００１１】
図１は、本発明のステープラの斜視図、図２は側面図を示す。
ステープラ１は、並列のマガジン２、ハンドル３、ベース８で構成され支軸１０によって支持されている。並列のマガジン２には、それぞれに針収納溝１４があり針５を装填できるようになっており針押器１３を備えている。ハンドル３には先端近くにドライバ６が左右に移動できるように横方向に溝１５を切ってあり、その溝の中を押し釦７を固定したドライバ６が左右に移動できるようになっている。ベース８には、ドライバ６によって押し出された針が紙を貫通して針曲台４で針を曲げ紙を綴る針曲台４を有している。又、針曲台４は並列のマガジンから押し出された針をそれぞれ曲げられるようになっている。ベース８は、並列のマガジンを有することにより底面が広くなり多くの予備針を収納できる予備針収納ケース９を装備することができる。
【００１２】
本発明は、上記のような構造にして紙綴り作業における針５の装填の回数を少なくすると共に、多くの予備針を収納することができるため針の装填の手間と煩わしさを半減することができる。
【００１３】
紙を綴る際にマガジンと針曲台の間に紙を入れドライバでマガジン内の針を押して紙を貫通し針を曲げて紙綴りをするのであるが、マガジンが1列の場合装填されているのは多くても１００本の針であり、綴り作業が多い職場では、針はすぐに消費されてしまい、再度充填する。以後この作業のくり返しである。紙綴り作業が多い職場では、装填に要する手間や時間はできるだけ少なくしたく煩わしさも減少したいものである。
これらを減少するためにマガジンを並列にして針の収納を多くし一度の針の充填でより多くの紙綴り作業を可能とする。
【００１４】
上記の作業をするためには、並列のマガジン２内の針５をハンドル３に固定されたドライバ６を左右に移動して針を押したい側に当るように押し釦７でドライバ６を移動させマガジン内の針５を押すようにする。使用しているマガジン内の針を消費してしまえば、隣のマガジン側に押し釦でドライバを移動して紙綴り作業を続けることができる。
【００１５】
発明の請求項２のステープラ１は、請求項１のステープラ１のベース８の底面に並列の予備針を収納できる予備収納ケース９を装置、固定する。並列のマガジン２を備えることにより幅が広くなったステープラ１のベース８の底面に図４に示すように２列の予備針を収納することができ、抱き合わせにして６００本の予備針を収納できる。又、予備針収納ケース９には、図２、図７に示すように蓋をもうけ針を取り出しやすいようにしている。蓋の長さは針の１連（５０本）の長さか、やや短めにしてあり蓋を開けると装填に必要な量の２００本の針が一度で取り出せる。
【００１６】
予備針を取り出す際に針が落下しないように針取出口の先端に図７に示すように磁石１２を取り付けると針の落下を防ぐことができる。
【００１７】
蓋が簡単に開かないように予備針収納ケース９の蓋とケースの一部に相対する凹凸部を設けて蓋が簡単に開くのを防ぐようにする。
【図面の簡単な説明】
【００１８】
【図１】本発明の斜視図である。
【図２】本発明の側面図である。
【図３】並列マガジンの平面図である。
【図４】予備針収納ケースの平面図である。
【図５】本発明のステープラのハンドルの平面図である。
【図６】本発明のステープラの正面図である。
【図７】予備針収納ケースの蓋部の側面拡大図である。
【符号の説明】
【００１９】
１    ステープラ
２    並列のマガジン
３    ハンドル
４    針曲台
５    針
６    ドライバ
７    押し釦
８    ベース
９    予備針収納ケース
１０  支軸
１１  蓋
１２  磁石
１３  針押器
１４  針収納溝
１５  ドライバ移動用溝
【図１】
2007160487.tif 000003
【図２】
2007160487.tif 000004
【図３】
2007160487.tif 000005
【図４】
2007160487.tif 000006
【図５】
2007160487.tif 000007
【図６】
2007160487.tif 000008
【図７】
2007160487.tif 000009